【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
複数のレイヤを備えるビデオデータを復号する方法であって、
前記ビデオデータの前記複数のレイヤのレイヤごとのそれぞれのシンタックス情報を復号することと、前記複数のレイヤのレイヤごとの前記それぞれのシンタックス情報は、前記レイヤのピクチャ当たりのいくつかのタイルへの前記レイヤ内のピクチャの区分化を定義する、ここにおいて、前記シンタックス情報は、前記複数のレイヤのレイヤごとのピクチャ当たりのタイルの数が前記レイヤのピクチャ当たりのタイルの最大数に基づいて決定されるように制約される、ここにおいて、前記レイヤのピクチャ当たりのタイルの前記最大数は、前記レイヤ内の前記ピクチャについての空間解像度、ティア情報、またはレベル情報のうちの少なくとも１つに基づいて決定される、
前記復号されたシンタックス情報によって定義された、前記レイヤのピクチャ当たりの前記いくつかのタイルへの前記ピクチャの前記区分化に基づいて、前記少なくとも１つのレイヤ内の前記ピクチャを復元することと
を備える、方法。
【請求項２】
前記複数のレイヤのレイヤごとの前記それぞれのシンタックス情報が、ピクチャ当たりのタイル列の数を定義する第１のシンタックス要素およびピクチャ当たりのタイル行の数を定義する第２のシンタックス要素のそれぞれの値を備え、前記複数のレイヤのレイヤごとのピクチャ当たりのタイルの前記最大数が、前記複数のレイヤのレイヤごとのピクチャ当たりのタイル列の最大数およびピクチャ当たりのタイル行の最大数によって定義される、請求項１に記載の方法。
【請求項３】
前記レイヤのピクチャ当たりのタイルの前記最大数が、前記レイヤについて前記空間解像度を可能にする最も低いビットストリームレベルについてのピクチャ当たりのタイルの最大数であるように決定される、請求項１に記載の方法。
【請求項４】
前記複数のレイヤのレイヤごとのピクチャ当たりのタイルの前記数が、前記レイヤのピクチャ当たりのタイルの前記最大数よりも大きくないように、前記シンタックス情報が制約される、請求項１に記載の方法。
【請求項５】
前記複数のレイヤのピクチャ当たりのタイルの前記数の合計が、前記複数のレイヤのピクチャ当たりのタイルの前記最大数の合計よりも大きくないように、前記シンタックス情報が制約される、請求項１に記載の方法。
【請求項６】
前記複数のレイヤの第１のレイヤのピクチャ当たりのタイルの前記数が、前記第１のレイヤのピクチャ当たりのタイルの最大数よりも大きく、前記複数のレイヤの第２のレイヤのピクチャ当たりのタイルの前記数が、前記第２のレイヤのピクチャ当たりのタイルの最大数よりも小さいように、前記シンタックス情報が制約される、請求項５に記載の方法。
【請求項７】
アクセスユニットが、前記複数のレイヤの各々の中に前記それぞれのピクチャを備える、請求項５に記載の方法。
【請求項８】
前記複数のレイヤが、サブビットストリームの複数のレイヤを備える、請求項５に記載の方法。
【請求項９】
前記複数のレイヤのレイヤごとの前記それぞれのシンタックス情報が、ピクチャ当たりのタイル列の数を定義する第１のシンタックス要素、およびピクチャ当たりのタイル行の数を定義する第２のシンタックス要素のそれぞれの値を備え、
前記複数のレイヤのレイヤごとのピクチャ当たりのタイルの前記最大数が、前記複数のレイヤのレイヤごとのピクチャ当たりのタイル列の最大数およびピクチャ当たりのタイル行の最大数によって定義され、
前記複数のレイヤの１つのレイヤのピクチャ当たりのタイル列の前記数が、前記レイヤのピクチャ当たりのタイル列の前記最大数と前記レイヤのピクチャ当たりの残留タイル列の数との和よりも大きくなく、前記レイヤのピクチャ当たりのタイル行の前記数が、前記レイヤのピクチャ当たりのタイル行の前記最大数と前記レイヤのピクチャ当たりのタイル行の残留の数との和よりも大きくないように、シンタックス情報が制約され、
前記レイヤのピクチャ当たりの残留タイル列の前記数が、前記複数のレイヤの１つまたは複数の他のレイヤのピクチャ当たりのタイル列の前記最大数とピクチャ当たりのタイル列の前記数との間の差分の合計を備え、前記レイヤのピクチャ当たりの残留タイル行の前記数が、前記複数のレイヤの前記１つまたは複数の他のレイヤのピクチャ当たりのタイル行の前記最大数とピクチャ当たりのタイル行の前記数との間の差分の合計を備える、請求項５に記載の方法。
【請求項１０】
前記複数のレイヤの前記１つのレイヤが非ベースレイヤである、請求項９に記載の方法。
【請求項１１】
前記ビデオデータがスケーラブルビデオコーディングデータを備え、前記複数のレイヤがスケーラブルビデオコーディングレイヤを備える、請求項１に記載の方法。
【請求項１２】
前記ビデオデータがマルチビュービデオデータを備え、前記複数のレイヤが前記マルチビュービデオデータの複数のビューに対応する、請求項１に記載の方法。
【請求項１３】
前記シンタックス情報を復号することが、前記シンタックス情報を含むアクティブパラメータセットを決定することを備える、請求項１に記載の方法。
【請求項１４】
前記アクティブパラメータセットがアクティブピクチャパラメータセットを備える、請求項１３に記載の方法。
【請求項１５】
複数のレイヤを備えるビデオデータを符号化する方法であって、
前記ビデオデータの前記複数のレイヤの各レイヤ内のピクチャを前記レイヤのピクチャ当たりのいくつかのタイルに区分化することと、ここにおいて、前記レイヤの各々についてピクチャ当たりの前記いくつかのタイルに前記ピクチャを区分化することは、
前記レイヤ内の前記ピクチャについての空間解像度、ティア情報、またはレベル情報のうちの少なくとも１つに基づいて、前記レイヤのピクチャ当たりのタイルの最大数を決定することと、
前記レイヤのピクチャ当たりのタイルの前記最大数に基づいて、前記レイヤのピクチャ当たりのタイルの数を制約することと
を備える、
前記レイヤのピクチャ当たりの前記いくつかのタイルへの前記ピクチャの前記区分化に基づいて、前記複数のレイヤの各レイヤ内の前記ピクチャを符号化することと、
前記ビデオデータの前記複数のレイヤのレイヤごとのそれぞれのシンタックス情報を符号化することと、前記複数のレイヤのレイヤごとの前記それぞれのシンタックス情報は、前記レイヤのピクチャ当たりの前記いくつかのタイルへの前記レイヤ内の前記ピクチャの前記区分化を定義する、
を備える、方法。
【請求項１６】
前記複数のレイヤのレイヤごとの前記それぞれのシンタックス情報が、ピクチャ当たりのタイル列の数を定義する第１のシンタックス要素およびピクチャ当たりのタイル行の数を定義する第２のシンタックス要素のそれぞれの値を備え、前記複数のレイヤのレイヤごとのピクチャ当たりのタイルの前記最大数が、前記複数のレイヤのレイヤごとのピクチャ当たりのタイル列の最大数およびピクチャ当たりのタイル行の最大数によって定義される、請求項１５に記載の方法。
【請求項１７】
前記レイヤのピクチャ当たりのタイルの前記最大数を決定することが、前記レイヤについて前記空間解像度を可能にする最も低いビットストリームレベルについてのタイルの最大数を決定することを備える、請求項１５に記載の方法。
【請求項１８】
前記レイヤのピクチャ当たりのタイルの前記最大数に基づいて、前記レイヤのピクチャ当たりのタイルの前記数を制約することが、前記レイヤのピクチャ当たりのタイルの前記最大数よりも大きくないように、前記複数のレイヤのレイヤごとのピクチャ当たりのタイルの前記数を制約することを備える、請求項１５に記載の方法。
【請求項１９】
前記レイヤのピクチャ当たりのタイルの前記最大数に基づいて、前記レイヤのピクチャ当たりのタイルの前記数を制約することが、前記複数のレイヤのピクチャ当たりのタイルの前記数の合計が、前記複数のレイヤのピクチャ当たりのタイルの前記最大数の合計よりも大きくないように、前記複数のレイヤのレイヤごとのピクチャ当たりのタイルの前記数を制約することを備える、請求項１５に記載の方法。
【請求項２０】
前記レイヤのピクチャ当たりのタイルの前記最大数に基づいて、前記レイヤのピクチャ当たりのタイルの前記数を制約することが、前記複数のレイヤの第１のレイヤのピクチャ当たりのタイルの前記数が、前記第１のレイヤのピクチャ当たりのタイルの最大数よりも大きく、前記複数のレイヤの第２のレイヤのピクチャ当たりのタイルの前記数が、前記第２のレイヤのピクチャ当たりのタイルの最大数よりも小さいように、前記複数のレイヤのレイヤごとのタイルの前記数を制約することを備える、請求項１９に記載の方法。
【請求項２１】
アクセスユニットが、前記複数のレイヤの各々の中に前記それぞれのピクチャを備える、請求項１９に記載の方法。
【請求項２２】
前記複数のレイヤが、サブビットストリームの複数のレイヤを備える、請求項１９に記載の方法。
【請求項２３】
前記複数のレイヤのレイヤごとの前記それぞれのシンタックス情報が、ピクチャ当たりのタイル列の数を定義する第１のシンタックス要素、およびピクチャ当たりのタイル行の数を定義する第２のシンタックス要素のそれぞれの値を備え、
前記複数のレイヤのレイヤごとのピクチャ当たりのタイルの前記最大数が、前記複数のレイヤのレイヤごとのピクチャ当たりのタイル列の最大数およびピクチャ当たりのタイル行の最大数によって定義され、
前記レイヤのピクチャ当たりのタイルの前記最大数に基づいて、前記レイヤのピクチャ当たりのタイルの前記数を制約することが、前記複数のレイヤの１つのレイヤのピクチャ当たりのタイル列の前記数が、前記レイヤのピクチャ当たりのタイル列の前記最大数と前記レイヤのピクチャ当たりの残留タイル列の数との和よりも大きくなく、前記レイヤのピクチャ当たりのタイル行の前記数が、前記レイヤのピクチャ当たりのタイル行の前記最大数と前記レイヤのピクチャ当たりのタイル行の残留の数との和よりも大きくないように、前記複数のレイヤのレイヤごとのピクチャ当たりのタイルの前記数を制約することを備え、前記方法が、
前記レイヤのピクチャ当たりの残留タイル列の前記数として、前記複数のレイヤの１つまたは複数の他のレイヤのピクチャ当たりのタイル列の前記最大数とピクチャ当たりのタイル列の前記数との間の差分の合計を決定することと、
前記レイヤのピクチャ当たりの残留タイル行の前記数として、前記複数のレイヤの前記１つまたは複数の他のレイヤのピクチャ当たりのタイル行の前記最大数とピクチャ当たりのタイル行の前記数との間の差分の合計を決定することと
をさらに備える、
請求項１９に記載の方法。
【請求項２４】
前記複数のレイヤの前記１つのレイヤが非ベースレイヤである、請求項２３に記載の方法。
【請求項２５】
前記ビデオデータがスケーラブルビデオコーディングデータを備え、前記複数のレイヤがスケーラブルビデオコーディングレイヤを備える、請求項１５に記載の方法。
【請求項２６】
前記ビデオデータがマルチビュービデオデータを備え、前記複数のレイヤが前記マルチビュービデオデータの複数のビューに対応する、請求項１５に記載の方法。
【請求項２７】
前記シンタックス情報を符号化することが、前記シンタックス情報を含むアクティブパラメータセットを識別する情報を符号化することを備える、請求項１５に記載の方法。
【請求項２８】
前記アクティブパラメータセットがアクティブピクチャパラメータセットを備える、請求項２７に記載の方法。
【請求項２９】
複数のレイヤを備えるビデオデータを復号するように構成されたビデオデコーダを備える装置であって、前記ビデオデコーダが、
前記ビデオデータを符号化する符号化ビデオビットストリームを記憶するように構成されたメモリと、
前記ビデオデータの前記複数のレイヤのレイヤごとのそれぞれのシンタックス情報を復号することと、前記複数のレイヤのレイヤごとの前記それぞれのシンタックス情報は、前記レイヤのピクチャ当たりのいくつかのタイルへの前記レイヤ内のピクチャの区分化を定義する、ここにおいて、前記シンタックス情報は、前記複数のレイヤのレイヤごとのピクチャ当たりのタイルの数が前記レイヤのピクチャ当たりのタイルの最大数に基づいて決定されるように制約される、ここにおいて、前記レイヤのピクチャ当たりのタイルの前記最大数は、前記レイヤ内の前記ピクチャについての空間解像度、ティア情報、またはレベル情報のうちの少なくとも１つに基づいて決定される、
前記復号されたシンタックス情報によって定義された、前記レイヤのピクチャ当たりの前記いくつかのタイルへの前記ピクチャの前記区分化に基づいて、前記少なくとも１つのレイヤ内の前記ピクチャを復元することと
を行うように構成された１つまたは複数のプロセッサと
を備える、装置。
【請求項３０】
前記レイヤのピクチャ当たりのタイルの前記最大数が、前記レイヤについて前記空間解像度を可能にする最も低いビットストリームレベルについてのピクチャ当たりのタイルの最大数であるように決定される、請求項２９に記載の装置。
【請求項３１】
前記複数のレイヤのレイヤごとのピクチャ当たりのタイルの前記数が、前記レイヤのピクチャ当たりのタイルの前記最大数よりも大きくないように、前記シンタックス情報が制約される、請求項２９に記載の装置。
【請求項３２】
前記複数のレイヤのピクチャ当たりのタイルの前記数の合計が、前記複数のレイヤのピクチャ当たりのタイルの前記最大数の合計よりも大きくないように、シンタックス情報が制約される、請求項２９に記載の装置。
【請求項３３】
前記複数のレイヤのレイヤごとの前記それぞれのシンタックス情報が、ピクチャ当たりのタイル列の数を定義する第１のシンタックス要素、およびピクチャ当たりのタイル行の数を定義する第２のシンタックス要素のそれぞれの値を備え、
前記複数のレイヤのレイヤごとのピクチャ当たりのタイルの前記最大数が、前記複数のレイヤのレイヤごとのピクチャ当たりのタイル列の最大数およびピクチャ当たりのタイル行の最大数によって定義され、
前記複数のレイヤの１つのレイヤのピクチャ当たりのタイル列の前記数が、前記レイヤのピクチャ当たりのタイル列の前記最大数と前記レイヤのピクチャ当たりの残留タイル列の数との和よりも大きくなく、前記レイヤのピクチャ当たりのタイル行の前記数が、前記レイヤのピクチャ当たりのタイル行の前記最大数と前記レイヤのピクチャ当たりのタイル行の残留の数との和よりも大きくないように、シンタックス情報が制約され、
前記レイヤのピクチャ当たりの残留タイル列の前記数が、前記複数のレイヤの１つまたは複数の他のレイヤのピクチャ当たりのタイル列の前記最大数とピクチャ当たりのタイル列の前記数との間の差分の合計を備え、前記レイヤのピクチャ当たりの残留タイル行の前記数が、前記複数のレイヤの前記１つまたは複数の他のレイヤのピクチャ当たりのタイル行の前記最大数とピクチャ当たりのタイル行の前記数との間の差分の合計を備える、請求項３２に記載の装置。
【請求項３４】
マイクロプロセッサ、
集積回路（ＩＣ）、および
前記ビデオデコーダのうちの少なくとも１つを備えるワイヤレス通信デバイス
のうちの１つを備える、請求項２９に記載の装置。
【請求項３５】
複数のレイヤを備えるビデオデータを符号化するように構成されたビデオエンコーダを備える装置であって、前記ビデオエンコーダが、
前記ビデオデータを符号化する符号化ビデオビットストリームを記憶するように構成されたメモリと、
前記ビデオデータの前記複数のレイヤの各レイヤ内のピクチャを前記レイヤのピクチャ当たりのいくつかのタイルに区分化するように構成された１つまたは複数のプロセッサと
を備え、ここにおいて、前記いくつかのタイルに前記ピクチャを区分化するために、前記１つまたは複数のプロセッサが、
前記レイヤ内の前記ピクチャについての空間解像度、ティア情報、またはレベル情報のうちの少なくとも１つに基づいて、前記レイヤのピクチャ当たりのタイルの最大数を決定することと、
前記レイヤのピクチャ当たりのタイルの前記最大数に基づいて、前記レイヤのピクチャ当たりのタイルの数を制約することと
を行うように構成され、前記１つまたは複数のプロセッサが、
前記レイヤのピクチャ当たりの前記いくつかのタイルへの前記ピクチャの前記区分化に基づいて、前記複数のレイヤの各レイヤ内の前記ピクチャを前記符号化ビデオビットストリーム内に符号化することと、
前記ビデオデータの前記複数のレイヤのレイヤごとのそれぞれのシンタックス情報を前記符号化ビデオビットストリーム内に符号化することと
を行うように構成され、前記複数のレイヤのレイヤごとの前記それぞれのシンタックス情報は、前記レイヤのピクチャ当たりの前記いくつかのタイルへの前記レイヤ内の前記ピクチャの前記区分化を定義する、装置。
【請求項３６】
前記レイヤのピクチャ当たりのタイルの前記最大数を決定するために、前記１つまたは複数のプロセッサが、前記レイヤについて前記空間解像度を可能にする最も低いビットストリームレベルについてのピクチャ当たりのタイルの最大数を決定するように構成された、請求項３５に記載の装置。
【請求項３７】
前記１つまたは複数のプロセッサが、前記レイヤのピクチャ当たりのタイルの前記最大数よりも大きくないように、前記複数のレイヤのレイヤごとのピクチャ当たりのタイルの前記数を制約するように構成された、請求項３５に記載の装置。
【請求項３８】
前記複数のレイヤのピクチャ当たりのタイルの前記数の合計が、前記複数のレイヤのピクチャ当たりのタイルの前記最大数の合計よりも大きくないように、前記複数のレイヤのレイヤごとのピクチャ当たりのタイルの前記数を制約するように、前記１つまたは複数のプロセッサが構成された、請求項３５に記載の装置。
【請求項３９】
前記複数のレイヤのレイヤごとの前記それぞれのシンタックス情報が、ピクチャ当たりのタイル列の数を定義する第１のシンタックス要素、およびピクチャ当たりのタイル行の数を定義する第２のシンタックス要素のそれぞれの値を備え、
前記複数のレイヤのレイヤごとのピクチャ当たりのタイルの前記最大数が、前記複数のレイヤのレイヤごとのピクチャ当たりのタイル列の最大数およびピクチャ当たりのタイル行の最大数によって定義され、
前記レイヤのピクチャ当たりのタイルの前記最大数に基づいて、前記レイヤのピクチャ当たりのタイルの前記数を制約することが、前記複数のレイヤの１つのレイヤのピクチャ当たりのタイル列の前記数が、前記レイヤのピクチャ当たりのタイル列の前記最大数と前記レイヤのピクチャ当たりの残留タイル列の数との和よりも大きくなく、前記レイヤのピクチャ当たりのタイル行の前記数が、前記レイヤのピクチャ当たりのタイル行の前記最大数と前記レイヤのピクチャ当たりのタイル行の残留の数との和よりも大きくないように、前記複数のレイヤのレイヤごとのピクチャ当たりのタイルの前記数を制約することを備え、
前記１つまたは複数のプロセッサが、
前記レイヤのピクチャ当たりの残留タイル列の前記数として、前記複数のレイヤの１つまたは複数の他のレイヤのピクチャ当たりのタイル列の前記最大数とピクチャ当たりのタイル列の前記数との間の差分の合計を決定することと、
前記レイヤのピクチャ当たりの残留タイル行の前記数として、前記複数のレイヤの前記１つまたは複数の他のレイヤのピクチャ当たりのタイル行の前記最大数とピクチャ当たりのタイル行の前記数との間の差分の合計を決定することと
を行うように構成された、
請求項３８に記載の装置。
【請求項４０】
マイクロプロセッサ、
集積回路（ＩＣ）、および
前記ビデオエンコーダのうちの少なくとも１つを備えるワイヤレス通信デバイス
のうちの１つを備える、請求項３５に記載の装置。
【請求項４１】
複数のレイヤを備えるビデオデータをコーディングするように構成された装置であって、
前記ビデオデータの前記複数のレイヤのレイヤごとのそれぞれのシンタックス情報をコーディングするための手段と、前記複数のレイヤのレイヤごとの前記それぞれのシンタックス情報は、前記レイヤのピクチャ当たりのいくつかのタイルへの前記レイヤ内のピクチャの区分化を定義する、ここにおいて、前記シンタックス情報は、前記複数のレイヤのレイヤごとのピクチャ当たりのタイルの数が前記レイヤのピクチャ当たりのタイルの最大数に基づいて決定されるように制約される、ここにおいて、前記レイヤのピクチャ当たりのタイルの前記最大数は、前記レイヤ内の前記ピクチャについての空間解像度、ティア情報、またはレベル情報のうちの少なくとも１つに基づいて決定される、
前記コーディングされたシンタックス情報によって定義された、前記レイヤのピクチャ当たりの前記いくつかのタイルへの前記ピクチャの前記区分化に基づいて、前記少なくとも１つのレイヤ内の前記ピクチャを処理するための手段と
を備える、装置。
【請求項４２】
実行されたとき、
ビデオデータの前記複数のレイヤのレイヤごとのそれぞれのシンタックス情報をコーディングすることと、前記複数のレイヤのレイヤごとの前記それぞれのシンタックス情報は、前記レイヤのピクチャ当たりのいくつかのタイルへの前記レイヤ内のピクチャの区分化を定義する、ここにおいて、前記シンタックス情報は、前記複数のレイヤのレイヤごとのピクチャ当たりのタイルの数が前記レイヤのピクチャ当たりのタイルの最大数に基づいて決定されるように制約される、ここにおいて、前記レイヤのピクチャ当たりのタイルの前記最大数は、前記レイヤ内の前記ピクチャについての空間解像度、ティア情報、またはレベル情報のうちの少なくとも１つに基づいて決定される、
前記コーディングされたシンタックス情報によって定義された、前記レイヤのピクチャ当たりの前記いくつかのタイルへの前記ピクチャの前記区分化に基づいて、前記少なくとも１つのレイヤ内の前記ピクチャを処理することと
を、ビデオコーダの１つまたは複数のプロセッサに行わせる命令を記憶した、非一時的コンピュータ可読記憶媒体。